【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】  第１の開口部と第２の開口部とが第１の空間を介して配置さ
れるように形成された第１のキャビネットと、
前記第１の開口部に振動板面が外方向に向けて配設されるメインスピーカと、
前記第２の開口部に振動板面が外方向に向けて配設されるサブスピーカとを備
え、
前記第１の開口部と前記第２の開口部とが、前記メインスピーカの中心軸と前
記サブスピーカの中心軸との外方向に対する向きが略同一となる位置に形成され
るとともに、
一方のスピーカの振動板が前記第１の空間内の空気を圧縮する方向に動くとき
は、他方のスピーカの振動板が前記第１の空間内の空気を膨張させる方向に動く
ように前記メインスピーカと前記サブスピーカとが駆動されることを特徴とする
スピーカ装置。
【請求項２】  前記第１の開口部と前記メインスピーカとの間、及び前記第
２の開口部と前記サブスピーカとの間に緩衝部材が介装されていることを特徴と
する請求項１記載のスピーカ装置。
【請求項３】  前記メインスピーカの磁気回路部を前記第１の空間内で支持
する第１の支持部材と、
前記サブスピーカの磁気回路部を前記第１の空間内で支持する第２の支持部材
とを備え、
前記メインスピーカの磁気回路部と前記第１の支持部材との間、及び／又は前
記第１の支持部材と前記第１のキャビネットとの間に緩衝部材が介装され、さら
に前記サブスピーカの磁気回路部と前記第２の支持部材との間、及び／又は前記
第２の支持部材と前記第１のキャビネットとの間に緩衝部材が介装されているこ
とを特徴とする請求項２記載のスピーカ装置。
【請求項４】  前記第１の開口部に配設された前記メインスピーカを外方向
に向けて配置するための第３の開口部を有し、前記第１の開口部を除く前記第１
のキャビネット全体を第２の空間を介して覆う第２のキャビネットと、
前記第１のキャビネットを前記第２のキャビネット内で支持する第３の支持部
材とを備え、
前記第１の開口部と前記第３の開口部との間、前記第１のキャビネットと前記
第３の支持部材との間、及び／又は前記第３の支持部材と前記第２のキャビネッ
トとの間に緩衝部材が介装されていることを特徴とする請求項１〜３のいずれか
の項に記載のスピーカ装置。
【請求項５】  前記第１のキャビネットの前記第１の開口部を含む所定部分
を外部に露出させて配置するための第４の開口部を有し、前記第１のキャビネッ
トの前記第２の開口部を含む所定部分を第３の空間を介して覆う第３のキャビネ
ットを備え、
前記第４の開口部と前記第１のキャビネットとの間に緩衝部材が介装されてい
ることを特徴とする請求項１〜３のいずれかの項に記載のスピーカ装置。
【請求項６】  前記第１のキャビネットの前記第２の開口部の前方から後方
にわたる第４の空間を有する第４のキャビネットを備え、
前記第４の空間が前記第１の空間の容積と略同容積となるように形成されてい
ることを特徴とする請求項１〜３のいずれかの項に記載のスピーカ装置。
【手続補正２】
【補正対象書類名】明細書
【補正対象項目名】００１０
【補正方法】変更
【補正の内容】
【００１０】
【課題を解決するための手段及びその効果】
上記目的を達成するために本発明に係るスピーカ装置（１）は、第１の開口部
と第２の開口部とが第１の空間を介して配置されるように形成された第１のキャ
ビネットと、前記第１の開口部に振動板面が外方向に向けて配設されるメインス
ピーカと、前記第２の開口部に振動板面が外方向に向けて配設されるサブスピー
カとを備え、前記第１の開口部と前記第２の開口部とが、前記メインスピーカの
中心軸と前記サブスピーカの中心軸との外方向に対する向きが略同一となる位置
に形成されるとともに、一方のスピーカの振動板が前記第１の空間内の空気を圧
縮する方向に動くときは、他方のスピーカの振動板が前記第１の空間内の空気を
膨張させる方向に動くように前記メインスピーカと前記サブスピーカとが駆動さ
れることを特徴としている。
【手続補正３】
【補正対象書類名】明細書
【補正対象項目名】００１１
【補正方法】変更
【補正の内容】
【００１１】
上記スピーカ装置（１）によれば、一方のスピーカの振動板が前記第１の空間
内の空気を圧縮する方向に動くときは、他方のスピーカの振動板が前記第１の空
間内の空気を膨張させる方向に動くように前記メインスピーカと前記サブスピー
カとが駆動される。したがって、前記メインスピーカが受ける背圧負荷がなくな
り、前記メインスピーカの振動板の振幅動作が音響信号に対してリニアに行われ
るようになり、音響信号に対する振動板の振幅動作の忠実度を高めることができ
、音響特性の向上を図ることができる。
【手続補正４】
【補正対象書類名】明細書
【補正対象項目名】００１７
【補正方法】変更
【補正の内容】
【００１７】
また本発明に係るスピーカ装置（４）は、上記スピーカ装置（１）〜（３）の
いずれかにおいて、前記第１の開口部に配設された前記メインスピーカを外方向
に向けて配置するための第３の開口部を有し、前記第１の開口部を除く前記第１
のキャビネット全体を第２の空間を介して覆う第２のキャビネットと、前記第１
のキャビネットを前記第２のキャビネット内で支持する第３の支持部材とを備え
、前記第１の開口部と前記第３の開口部との間、前記第１のキャビネットと前記
第３の支持部材との間、及び／又は前記第３の支持部材と前記第２のキャビネッ
トとの間に緩衝部材が介装されていることを特徴としている。
【手続補正５】
【補正対象書類名】明細書
【補正対象項目名】００１８
【補正方法】変更
【補正の内容】
【００１８】
上記スピーカ装置（１）〜（３）では、前記メインスピーカから出力される音
と、前記サブスピーカから出力される音との位相が逆になっているので、特に指
向性の広い低音域においては音が打ち消されてしまうこともあるが、上記スピー
カ装置（４）によれば、前記第２のキャビネットにより前記メインスピーカが配
設される前記第１の開口部を除く前記第１のキャビネット全体が前記第２の空間
を介して覆われる構成となっているので、前記第２のキャビネット前面に対して
は前記メインスピーカからのみ音が出力され、前記サブスピーカの前面から出た
音は、前記第２のキャビネット内で位相を反転させて出力させることも可能にな
り、低音再生限度の拡大を図ることができる。
【手続補正６】
【補正対象書類名】明細書
【補正対象項目名】００２０
【補正方法】変更
【補正の内容】
【００２０】
また本発明に係るスピーカ装置（５）は、上記スピーカ装置（１）〜（３）の
いずれかにおいて、前記第１のキャビネットの前記第１の開口部を含む所定部分
を外部に露出させて配置するための第４の開口部を有し、前記第１のキャビネッ
トの前記第２の開口部を含む所定部分を第３の空間を介して覆う第３のキャビネ
ットを備え、前記第４の開口部と前記第１のキャビネットとの間に緩衝部材が介
装されていることを特徴としている。
【手続補正７】
【補正対象書類名】明細書
【補正対象項目名】００２５
【補正方法】変更
【補正の内容】
【００２５】
図中１０は、スピーカが収容されるキャビネットを示しており、キャビネット
１０前面には、円形の第１の開口部１１と第２の開口部１２とが形成されている
。キャビネット１０前面の略中央部分からは、キャビネット１０内を上下に部分
的に仕切る仕切り板１３が水平方向に延設されており、キャビネット１０の後方
部分は断面視円弧状に形成され、第１の開口部１１と第２の開口部１２とが第１
の空間１４を介して配置されるように形成されている。
【手続補正８】
【補正対象書類名】明細書
【補正対象項目名】００３３
【補正方法】変更
【補正の内容】
【００３３】
なお、上記実施の形態（１）に係るスピーカ装置１では、第１の開口部１１と
第２の開口部１２とが、同一平面に形成されている場合について説明したが、第
１の開口部１１と第２の開口部１２とは、メインスピーカ２０の中心軸とサブス
ピーカ３０の中心軸との外方向に対する向きが略同一となる位置に形成されるよ
うになっていればよく、種々の形態のキャビネットに適用することができる。
【手続補正９】
【補正対象書類名】明細書
【補正対象項目名】００４５
【補正方法】変更
【補正の内容】
【００４５】
半楕円球形状をしたキャビネット１０Ａ前面には、メインスピーカ２０を配設
する第１の開口部１１と、サブスピーカ３０を配設する第２の開口部１２とが段
差を有して形成されており、第１の開口部１１と第２の開口部１２とが第１の空
間１４を介して配置されるように形成されている。そして、メインスピーカ２０
とサブスピーカ３０とには、同じ音響信号が逆相で供給されるようにアンプの出
力端子が接続されるようになっている。
【手続補正１０】
【補正対象書類名】明細書
【補正対象項目名】００５２
【補正方法】変更
【補正の内容】
【００５２】
上記実施の形態（１）〜（３）に係るスピーカ装置では、メインスピーカ２０
から出力される音と、サブスピーカ３０から出力される音との位相が逆になって
いるので、特に指向性の広い低音域においては音が打ち消されてしまうこともあ
るが、上記実施の形態（４）に係るスピーカ装置１Ｃによれば、キャビネット１
７によりメインスピーカ２０が配設される第１の開口部１１を除くキャビネット
１０Ａ全体が第２の空間１６を介して覆われる構成となっているので、前面に対
してはメインスピーカ２０からのみ音が出力され、サブスピーカ３０の前面から
出た音は、キャビネット１７内で位相を反転させて出力されることなり、低音再
生限度の拡大を図ることができる。
【手続補正１１】
【補正対象書類名】明細書
【補正対象項目名】００５４
【補正方法】変更
【補正の内容】
【００５４】
断面視略コ字形状をした円筒形状のキャビネット１０Ｂ両端面には、メインス
ピーカ２０を配設する第１の開口部１１と、サブスピーカ３０を配設する第２の
開口部１２とが形成されており、第１の開口部１１と第２の開口部１２とが第１
の空間１４を介して配置されるように形成されている。メインスピーカ２０とサ
ブスピーカ３０とには、同じ音響信号が逆相で供給されるようにアンプの出力端
子が接続されるようになっている。
【手続補正１２】
【補正対象書類名】明細書
【補正対象項目名】００５６
【補正方法】変更
【補正の内容】
【００５６】
また、図中７０は、キャビネットを示しており、略箱形状をしたキャビネット
７０の上面後方位置にはキャビネット１０Ｂを配設するための円形の開口部７１
が形成されている。キャビネット７０の開口部７１には、第１の開口部１１に配
設されたメインスピーカ２０を含むキャビネット１０Ｂ上部が環状の緩衝部材４
６を介装させて露出するように配置され、キャビネット７０内には、サブスピー
カ３０を含むキャビネット１０Ｂ下部が、第４の空間７２を介して配設されるよ
うになっている。
【手続補正１３】
【補正対象書類名】明細書
【補正対象項目名】００５９
【補正方法】変更
【補正の内容】
【００５９】
半楕円球形状をしたキャビネット１０Ｃ前面には、メインスピーカ２０を配設
する第１の開口部１１と、サブスピーカ３０を配設する第２の開口部１２とが段
差を有して形成されており、第１の開口部１１と第２の開口部１２とが第１の空
間１４を介して配置されるように形成されている。メインスピーカ２０とサブス
ピーカ３０とには、同じ音響信号が逆相で供給されるようにアンプの出力端子が
接続されるようになっている。